【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
プロセス制御情報を表示する方法であって、
フィールドデバイスに関連付けられるプロセス制御情報の閲覧要求を受信することと、
データベースを介して、前記フィールドデバイスに関連付けられるデバイス記述ファイルであって、電子デバイス記述言語（ＥＤＤＬ）に準拠するようにフォーマットされる、デバイス記述ファイルにアクセスすることと、
前記デバイス記述ファイルであって、前記プロセス制御情報の一部分がスクリプト拡張機能内の条件と合致する場合に図形を条件付きで表示する、前記スクリプト拡張機能を含む、前記デバイス記述ファイルを使用して、前記プロセス制御情報に対する表示を生成することと、
を含む、方法。
【請求項２】
前記スクリプト拡張機能は、プロセス制御イベントが前記条件と合致する際に前記図形を表示する、イベントハンドラである、請求項１に記載の方法。
【請求項３】
前記スクリプト拡張機能は、前記プロセス制御情報が前記条件と合致する際に値として前記図形を表示する、機能である、請求項１又は請求項２に記載の方法。
【請求項４】
前記スクリプト拡張機能は、前記プロセス制御情報が前記条件と合致する際にデータソースに値を書き込む、機能である、請求項１〜請求項３の何れか１項に記載の方法。
【請求項５】
前記スクリプト拡張機能は、前記プロセス制御情報の前記一部分に対して少なくとも１つの数学演算を実施する、表現である、請求項１〜請求項４の何れか１項に記載の方法。
【請求項６】
前記スクリプト拡張機能は、前記プロセス制御情報の前記一部分が前記条件と合致する場合、前記プロセス制御情報の前記一部分を前記図形に変更することによって前記図形を表示する、コンバータである、請求項１〜請求項５の何れか１項に記載の方法。
【請求項７】
前記スクリプト拡張機能は、前記プロセス制御情報の前記一部分が前記条件と合致するように漸次的に変化する際に前記図形を表示する、トリガである、請求項１〜請求項６の何れか１項に記載の方法。
【請求項８】
前記表示を生成することは、
前記プロセス制御情報と合致する前記条件を判定することと、
前記条件に基づき、前記図形を選択することと、
前記プロセス制御情報の前記一部分を前記図形と関連付けることと、
前記プロセス制御情報の前記一部分を前記図形内に表示することを含む表示のために、前記図形をレンダリングすることと、
を含む、請求項１〜請求項７の何れか１項に記載の方法。
【請求項９】
前記スクリプト拡張機能は、前記条件が前記プロセス制御情報の前記一部分と合致する場合に前記図形を表示する、複合構造である、請求項１〜請求項８の何れか１項に記載の方法。
【請求項１０】
プロセス制御情報を表示する装置であって、
データベースを介して、フィールドデバイスに関連付けられるデバイス記述ファイルにアクセスする、電子デバイス記述プロセッサであって、前記デバイス記述ファイルは、電子デバイス記述言語（ＥＤＤＬ）に関連付けられる、電子デバイス記述プロセッサと、
前記デバイス記述ファイルおよび前記フィールドデバイスから受信されるプロセス制御情報を使用して、前記プロセス制御情報の表示を生成する、図形プロセッサであって、前記デバイス記述ファイルは、前記プロセス制御情報の一部分がスクリプト拡張機能内の条件と合致する場合、前記図形プロセッサに図形を表示するよう命令する、スクリプト拡張機能を含む、図形プロセッサと、
を備える、装置。
【請求項１１】
図形プロセッサは、前記プロセス制御情報内の特定されるプロセス制御イベントが前記条件と合致するときに、前記スクリプト拡張機能内のイベントハンドラを実行して、前記図形を表示するものである、請求項１０に記載の装置。
【請求項１２】
前記図形プロセッサは、前記プロセス制御情報が前記条件と合致する際、データソースに値を書き込むために前記スクリプト拡張機能内の機能を実行し、前記図形内に前記書き込まれた値を表示するものである、請求項１０又は請求項１１に記載の装置。
【請求項１３】
前記図形プロセッサは、前記プロセス制御情報の前記一部分が前記条件と合致する場合、前記プロセス制御情報の前記一部分を前記図形に変更することによって前記図形を表示するために、前記スクリプト拡張機能内のコンバータを実行するものである、請求項１０〜請求項１２の何れか１項に記載の装置。
【請求項１４】
前記図形プロセッサは、前記プロセス制御情報の前記一部分が前記条件に到達するように漸次的に変化するとき、前記図形を表示するために、前記スクリプト拡張機能内のトリガを実行するものである、請求項１０〜請求項１３の何れか１項に記載の装置。
【請求項１５】
実行されると、機械に、少なくとも、
フィールドデバイスから送信されるプロセス制御情報の閲覧要求を受信させ、
データベースを介して、前記フィールドデバイスに関連付けられるデバイス記述ファイルであって、電子デバイス記述言語（ＥＤＤＬ）に準拠するようにフォーマットされる、デバイス記述ファイルにアクセスさせ、
前記デバイス記述ファイルであって、前記プロセス制御情報の一部分がスクリプト拡張機能内の条件と合致する場合に図形を条件付きで表示する、前記スクリプト拡張機能を含む、前記デバイス記述ファイルを使用して、前記プロセス制御情報の表示を生成させる、
その上に記憶される命令を有する、機械がアクセス可能な媒体。
【請求項１６】
前記命令は、実行されるとき、前記機械が、前記プロセス制御情報に含まれるプロセス制御イベントが前記条件と合致する際に前記図形を表示させる、請求項１５に記載の機械がアクセス可能な媒体。
【請求項１７】
前記命令は、実行されるとき、前記機械が、前記プロセス制御情報の前記一部分が前記条件と合致するように漸次的変化する際に前記図形を表示させる、請求項１５又は請求項１６に記載の機械がアクセス可能な媒体。
【請求項１８】
デバイス記述ファイル内にスクリプト拡張機能を作成する方法であって、
フィールドデバイスに関連付けられる情報を受信することと、
前記フィールドデバイスからのプロセス制御情報が、いつ図形として表示されるかを識別する、前記情報内の条件を決定することと、
前記フィールドデバイスからの前記プロセス制御情報が前記条件と合致するときに前記図形を表示する、前記条件に基づき、スクリプト拡張機能を作成することと、
前記スクリプト拡張機能を前記フィールドデバイスに関連付けられるデバイス記述ファイルに記憶することと、
を含む、方法。
【請求項１９】
前記スクリプト拡張機能を作成することは、
前記条件の種類に基づき、トリガ、コンバータ、機能、表現、またはイベントハンドラのうちの少なくとも１つを選択することと、
前記トリガ、コンバータ、前記機能、前記表現、または前記イベントハンドラのうちの前記少なくとも１つを含む、前記スクリプト拡張機能を生成することと、
を含む、請求項１８に記載の方法。
【請求項２０】
前記スクリプト拡張機能を作成することは、
前記デバイス記述ファイルを二値フォーマットに圧縮することによって、前記スクリプト拡張機能を含む前記デバイス記述ファイルを処理することと、
前記圧縮されたデバイス記述ファイルを、ワークステーションのメモリまたは手持ち式デバイスのメモリのうちの少なくとも１つに送信することと、
を含む、請求項１８又は請求項１９に記載の方法。
【請求項２１】
前記スクリプト拡張機能を作成することは、
構文エラーを識別するために、前記デバイス記述ファイルを解析することと、
前記デバイス記述ファイルを用いて、ユーザインターフェースをシミュレートすることと、
前記フィールドデバイスに基づき、前記スクリプト拡張機能をシステム固有フォーマットに変換することと、
を含む、請求項１８〜請求項２０の何れか１項に記載の方法。